(57)【特許請求の範囲】
【請求項１】
デッドボルトと、ストライクを備え、デッドボルトは、扉本体の戸先から突没自在であり、ストライクは、戸先に対向する面に上下方向に移動自在に設けてあって、扉本体の開き側の見付面に位置決め部を有しており、位置決め部が突出状態のデッドボルトに係止自在であることを特徴とする扉。
【請求項２】
デッドボルトと、ストライクを備え、デッドボルトは、扉本体の戸先から突没自在であり、ストライクは、戸先に対向する面に設けてあって、扉本体の開き側の見付面に位置決め部を有しており、デッドボルト突出状態で扉本体を閉じ方向に回動させ、デッドボルトがストライクに当接した状態でストライクを上下方向に動かし、ストライクの位置決め部をデッドボルトに係止させて、ストライクの戸先に対向する面への固定位置を決めることを特徴とする扉の製造方法。
【発明の詳細な説明】
【技術分野】
【０００１】
本発明は、錠前を備える扉に関する。
【背景技術】
【０００２】
一般に、錠前を備える扉においては、扉本体に、戸先から突没自在なデッドボルトを設けてあり、戸先に対向する面に、デッドボルトを受けるストライクを設けてある。非特許文献１に示すように、扉の施工時には、デッドボルトが確実にストライクに掛かるように、ストライクの位置を調整する必要があり、従来、ストライクの上下位置調整は、扉本体を閉鎖直前の状態にして、デッドボルトの位置に目視で合わせていた。
【先行技術文献】
【非特許文献】
【０００３】
【非特許文献１】「防火戸Ｆ型アパートドア枠施工要領書（ＨＷ１６２７Ｃ）」、三協立山株式会社、２０１５年２月、ｐ．６
【発明の概要】
【発明が解決しようとする課題】
【０００４】
しかしながら、扉本体を閉鎖直前の状態にすると、デッドボルトやストライクが目視しにくいので、調整が適切に行われず、デッドボルトの掛かりが不完全になって、防犯性が低下するおそれがあった。
【０００５】
本発明は、上記事情を鑑みたものであり、錠前のストライクを容易かつ確実に位置決めできる扉を提供することを目的とする。
【課題を解決するための手段】
【０００６】
請求項１に記載の発明は、デッドボルトと、ストライクを備え、デッドボルトは、扉本体の戸先から突没自在であり、ストライクは、戸先に対向する面に上下方向に移動自在に設けてあって、扉本体の開き側の見付面に位置決め部を有しており、位置決め部が突出状態のデッドボルトに係止自在であることを特徴とする扉である。
【０００７】
請求項２に記載の発明は、デッドボルトと、ストライクを備え、デッドボルトは、扉本体の戸先から突没自在であり、ストライクは、戸先に対向する面に設けてあって、扉本体の開き側の見付面に位置決め部を有しており、デッドボルト突出状態で扉本体を閉じ方向に回動させ、デッドボルトがストライクに当接した状態でストライクを上下方向に動かし、ストライクの位置決め部をデッドボルトに係止させて、ストライクの戸先に対向する面への固定位置を決めることを特徴とする扉の製造方法である。
【発明の効果】
【０００８】
本発明によれば、ストライクの位置決め部をデッドボルトに係止させてストライクを上下位置決めするので、容易に確実な上下位置調整ができる。
【図面の簡単な説明】
【０００９】
【図１】第一実施形態の錠前部分の斜視図である。
【図２】第一実施形態の錠前部分を示し、（ａ）は平面図、（ｂ）は正面図、（ｃ）は側面図である。
【図３】第一実施形態のストライク取付部分の分解斜視図である。
【図４】扉の正面図である。
【図５】扉の横断面図である。
【図６】第二実施形態の錠前部分を示し、（ａ）は正面図、（ｂ）は側面図である。
【図７】第三実施形態の錠前部分を示し、（ａ）は正面図、（ｂ）は側面図である。
【発明を実施するための形態】
【００１０】
以下、本発明の実施の形態を図面に基づいて説明する。なお、以下において左右とは、図４に示すように扉を室外側正面から見た際の左右を示す。この扉の第一実施形態は、住宅の玄関扉として用いられるものであり、図４及び図５に示すように、躯体開口部に設けた枠体５と、枠体５の内周側に納めた扉本体４からなる。枠体５は、縦枠５１と横枠５２を四周枠組みしたものであり、右側の縦枠５１に丁番５３を介して扉本体４を取り付けてある。よって、扉本体４の左側が戸先、右側が吊元となる。扉本体４は、丁番５３により、見込方向の一方側（図４の手前側）に向けて開くことができるようになっており、見込方向の一方側を開き側、他方側を閉じ側とする。なお、この扉を住宅の玄関に設置した場合には、開き側が室外側、閉じ側が室内側となる。そして、扉本体４の上下方向中央の戸先側部分には、扉本体４を開閉するためのハンドル４１を設けてあり、ハンドル４１の上側には、扉本体４を施錠するための錠前１０を設けてある。
【００１１】
錠前１０は、図１、図２及び図５に示すように、扉本体４に設けたデッドボルト１と、扉本体４の戸先に対向する面である左側の縦枠５１の内周側面に設けたストライク２を備える。より詳しくは、扉本体４の戸先側面に孔を開けてあり、孔から扉本体４の内部（形材の中空部）に箱形のケース６を納めてある。ケース６の戸先側には、平板状のフロント板６１を設けてあり、フロント板６１の中央部から、デッドボルト１が突没自在となっている。デッドボルト１は、正面視して矩形の閂部１１と鎌形の鎌部１２からなり、閂部１１は断面形状が上側に開口するコ字形であって、その内側に鎌部１２が納まっている。突出時には、閂部１１が水平方向に突出するとともに、鎌部１２が閂部１１から上側に突出する。そして、フロント板６１を扉本体４の戸先側面に当接させ、ネジ止めして固定してあり、これにより、デッドボルト１が扉本体４の戸先から突没自在となっている。なお、ケース６の室外側（開き側）にはシリンダ６２を設けてあり、室内側（閉じ側）にはサムターン６３を設けてある。シリンダ６２及びサムターン６３は、それぞれ扉本体４の見付面側に露出しており、シリンダ６２に鍵を挿して回すか、サムターン６３を回すことで、デッドボルト１を操作できる。
【００１２】
また、図２及び図３に示すように、ストライク２は、一枚の金属平板を加工して形成したものであって、見付面２１と、見込面２２を有しており、上面視して略Ｌ字形となっていて、見付面２１は見込面２２の開き側端から外周側に向けて延びている。見込面２２の上部と下部にはネジ２６の挿通孔２３を形成してあり、上下の挿通孔２３の間に、デッドボルト１が嵌まる略矩形の嵌合孔２４を形成してある。また、嵌合孔２４の開き側及び閉じ側の縦辺から、外周側に向けて延出片２５が延出している。そして、見付面２１の上下方向の略中間位置（嵌合孔２４の上端と略同じ上下位置）には、位置決め部３を設けてある。位置決め部３は、開き側に向けて突出する直方体形の突起である。さらに、位置決め部３の下側には、補助位置決め部３１を設けてある。補助位置決め部３１は、位置決め部３と補助位置決め部３１の間隔がデッドボルト１の閂部１１の上下幅よりも広くなり、かつ嵌合孔２４の下端よりも上側となる位置に設けてある。そして、補助位置決め部３１も、位置決め部３と同じ形状の突起である。また、位置決め部３と補助位置決め部３１の間の見付面２１及び見込面２２には、水平方向に延びる位置決め線３２を刻印形成してある。位置決め線３２は、位置決め部３と位置決め線３２の間隔がデッドボルト１の閂部１１の上下幅と略同じとなる位置に設けてある。
【００１３】
また、縦枠５１の内部（形材の中空部）には、トロヨケ７を納めてある。トロヨケ７は、一枚の金属平板を加工して形成したものであって、上下に位置する挟持面７１と、開き側と閉じ側に位置し上下の挟持面７１を連結する連結部７２と、上側の挟持面７１の下端及び下側の挟持面７１の上端から外周側に延出する水平片７３を備える。そして、上下の挟持面７１には、ストライク２の挿通孔２３に対応する雌ネジ部７４を形成してある。
【００１４】
さらに、左側の縦枠５１の内周側面（扉本体４の戸先に対向する面）には、ストライク２を取り付けるための上側取付孔５４及び下側取付孔５５を形成してある。上側取付孔５４は、略矩形であり、下側取付孔５５は、上下反転した略凸形である。上側取付孔５４と、下側取付孔５５の下部（幅狭部）が、それぞれストライク２の上下の挿通孔２３の位置に対応しており、下側取付孔５５の上部（幅広部）が、ストライク２の嵌合孔２４の位置に対応している。そして、ストライク２の見込面２２を縦枠５１の内周側面に当接させ、見付面２１を縦枠５１の開き側面に対向させて、上下の挿通孔２３にネジ２６を挿入し、上側取付孔５４及び下側取付孔５５を通してトロヨケ７の雌ネジ部７４に螺合する。このように構成することで、ネジ２６を締め付ければ、ストライク２の見込面２２とトロヨケ７の挟持面７１とで縦枠５１の内周側面を挟み込み、ストライク２が扉本体４の戸先に対向する面である縦枠５１の内周側面に固定される。そして、ネジ２６を緩めると、ネジ２６が上側取付孔５４及び下側取付孔５５の内側を移動可能な範囲内で、ストライク２の位置を調整することができる。
【００１５】
このように構成した錠前１０を備える扉においては、扉本体４を閉め、シリンダ６２に鍵を挿して回すかサムターン６３を回すことで、デッドボルト１が突出して施錠される。この際、デッドボルト１の閂部１１がストライク２の嵌合孔２４を通って縦枠５１の内部に進入するとともに、鎌部１２が上側に突出して、ストライク２の背面側に位置する。このように、閂部１１がストライク２の嵌合孔２４に挿入されるとともに、鎌部１２がストライク２の嵌合孔２４の上側部分に掛かることで、強固に施錠されるので、防犯性が高い。ただし、ストライク２の取付位置が高すぎると、施錠して閂部１１が嵌合孔２４に挿入されても、鎌部１２のストライク２に対する掛かり代が小さくなってしまい、十分な防犯性が得られないが、その状態でも施錠自体は可能であるため、ストライク２の取付位置が不適切であることに気付かないおそれがある。よって、施工時に確実にストライク２の上下位置決めを行う必要がある。
【００１６】
そこで、ストライク２の上下位置決めについて詳述する。ストライク２の位置決めは、躯体開口部に枠体５を取り付け、枠体５にデッドボルト１を備える扉本体４を取り付けた後で行う。位置決めに際しては、まず、ストライク２のネジ２６を緩めて、ストライク２を動かせるようにする。そして、図１に示すように、扉本体４を開いた状態で、サムターン６３を操作してデッドボルト１を突出させ、そのまま扉本体４を閉じ方向に回動させる。すると、デッドボルト１の閂部１１がストライク２の見付面２１に当接するので、その状態でストライク２を動かして、位置決め部３を閂部１１の上端部に上側から係止（当接）させる。これにより、ストライク２が上下位置決めされる。すなわち、位置決め部３は、ストライク２の嵌合孔２４の上端と略同じ高さに位置しているので、これを閂部１１の上端部に当接させることで、閂部１１が嵌合孔２４に挿入され、かつ鎌部１２のストライク２に対する掛かり代が最も大きくなる上下位置となる。そして、位置決め部３が閂部１１の上端部に当接した状態で、ハンドル４１を引き寄せるなどして扉本体４を閉じ方向に付勢し続け、そのままネジ２６を締め付けて、ストライク２を固定する。この際、突起である位置決め部３が閂部１１の上端部に載置された状態となっているから、ストライク２から手を離しても、ストライク２の位置がずれることはない。こうして、ストライク２の上下位置決め及び固定が完了する。
【００１７】
また、位置決めに際しては、補助位置決め部３１により、枠体５や扉本体４の施工状態を確認できる。そのためには、デッドボルト１の閂部１１をストライク２の見付面２１に当接させた後、ストライク２を上下に動かし、位置決め部３を閂部１１の上端部に上側から当接させ、補助位置決め部３１を閂部１１の下端部に下側から当接させる（位置決め部３と補助位置決め部３１の間隔は閂部１１の上下幅よりも広いので、順次当接させる）。これにより、ストライク２が調整可能な適正位置にあるとともに、枠体５や扉本体４が正しく施工されていることが確認できる（もし上下の何れか一方しか当接しない場合には、枠体５の施工不良や、枠体５に扉本体４を取り付けるための丁番５３の調整不良の可能性がある）。
【００１８】
さらに、ストライク２の位置決め部３と位置決め線３２の間隔がデッドボルト１の閂部１１の上下幅と略同じであるから、位置決め部３を閂部１１の上端部に当接させると、位置決め線３２が、閂部１１の下端と同じ上下位置となる。よって、位置決め時に、位置決め線３２と閂部１１の下端の上下位置が揃っていることを目視することで、当接による確認に加えて目視による確認もすることができる。
【００１９】
なお、上記のように、本来、位置決め部３を上側から閂部１１の上端部に当接させて位置決めを行うが、間違って補助位置決め部３１を下側から閂部１１の下端部に当接させて位置決めしてしまった場合でも、鎌部１２のストライク２に対する掛かり代が十分確保されるように、補助位置決め部３１の上下位置を設定してある。
【００２０】
このように構成した本発明の戸の第一実施形態によれば、ストライク２の位置決め部３をデッドボルト１の閂部１１に当接させてストライク２を上下位置決めするので、容易に確実な上下位置調整が可能であり、デッドボルト１の掛かりが不完全になって防犯性が低下することを防ぐ。また、ストライク２には位置決め線３２を形成してあり、目視でも上下位置が確認できる。よって、たとえばストライク２に異物が付着していて、異物とデッドボルト１が当接した位置を正常位置と誤認した場合でも、目視による確認で間違いを発見することができ、当接と目視による二重の確認でより確実な調整が可能である。さらに、ストライク２の位置決め部３をデッドボルト１の閂部１１に載置させた状態で、ストライク２から手を離してストライク２をネジ止めできるので、一人の作業者でも確実な位置調整及び固定が可能である。また、位置決め部３の下側に補助位置決め部３１を設けてあり、位置決め部３と補助位置決め部３１にそれぞれ閂部１１の上端部と下端部を当接させることで、ストライク２が調整可能な適正位置にあるとともに、枠体５や扉本体４が正しく施工されていることが確認できる。
【００２１】
次に、図６に基づき、本発明の戸の第二実施形態について、第一実施形態との相違点に絞って説明する。第二実施形態は、第一実施形態と同様の枠体５及び扉本体４を有するものであって、ストライク２の位置決め部３の形状と、位置決め部３を係止させるデッドボルト１の形状が異なっている。第二実施形態のストライク２の位置決め部３は、見付面２１の一部を切除して、内外周方向に延びる溝状に形成してある。その上下幅は、デッドボルト１の閂部１１の上下幅よりも狭い。一方、デッドボルト１の閂部１１の閉じ側面の上端部には、閂部１１の進退方向に延びる突条１３を形成してあり、突条１３の上下幅は、ストライク２の位置決め部３に嵌まるだけの幅となっている。ストライク２を位置決めする際には、第一実施形態の場合と同様に、デッドボルト１が突出した状態で扉本体４を閉じ方向に回動させる。すると、デッドボルト１の閂部１１の突条１３がストライク２の見付面２１に当接するので、その状態でストライク２を上下に動かし、突条１３を位置決め部３に嵌める。これにより、ストライク２が上下位置決めされる。また、第一実施形態と同様に、位置決め線３２による目視での確認もできる。そして、突条１３が位置決め部３に嵌まった状態で、ハンドル４１を引き寄せるなどして扉本体４を閉じ方向に付勢し続け、そのままネジ２６を締め付けて、ストライク２を固定する。この際、突条１３が溝状の位置決め部３に嵌まっているので、ストライク２から手を離しても、ストライク２の位置がずれることはない。こうして、ストライク２の上下位置決め及び固定が完了する。このように、第二実施形態においても、容易に確実なストライク２の上下位置調整が可能である。
【００２２】
次に、図７に基づき、本発明の戸の第三実施形態について、第一実施形態との相違点に絞って説明する。第三実施形態は、第一実施形態と同様の枠体５及び扉本体４を有するものであって、ストライク２の位置決め部３の形状が異なっている。第三実施形態のストライク２においては、見付面２１の一部を切除して、内外周方向に延びる溝状に形成してあり、その上端の段部を位置決め部３としてあり、下端の段部を補助位置決め部３１としてある。位置決め部３と補助位置決め部３１の間の幅は、デッドボルト１の閂部１１の上下幅よりも広い。ストライク２を位置決めする際には、第一実施形態の場合と同様に、デッドボルト１が突出した状態で扉本体４を閉じ方向に回動させる。すると、デッドボルト１の閂部１１がストライク２の見付面２１に当接するので、その状態でストライク２を上下に動かし、閂部１１を位置決め部３と補助位置決め部３１の間に納め、位置決め部３を閂部１１の上端部に上側から係止（当接）させる。これにより、ストライク２が上下位置決めされる。そして、位置決め部３が閂部１１の上端部に当接した状態で、ハンドル４１を引き寄せるなどして扉本体４を閉じ方向に付勢し続け、そのままネジ２６を締め付けて、ストライク２を固定する。この際、段部である位置決め部３が閂部１１の上端部に載置された状態となっているから、ストライク２から手を離しても、ストライク２の位置がずれることはない。こうして、ストライク２の上下位置決め及び固定が完了する。
【００２３】
また、位置決めに際しては、第一実施形態と同様に、補助位置決め部３１により、枠体５や扉本体４の施工状態を確認できる。そのためには、デッドボルト１の閂部１１をストライク２の見付面２１に当接させた後、ストライク２を上下に動かし、位置決め部３を閂部１１の上端部に上側から当接させ、補助位置決め部３１を閂部１１の下端部に下側から当接させる（位置決め部３と補助位置決め部３１の間隔は閂部１１の上下幅よりも広いので、順次当接させる）。これにより、ストライク２が調整可能な適正位置にあるとともに、枠体５や扉本体４が正しく施工されていることが確認できる。さらに、第一実施形態と同様に、位置決め線３２による目視での確認もできる。
【００２４】
なお、上記のように、本来、位置決め部３を上側から閂部１１の上端部に当接させて位置決めを行うが、間違って補助位置決め部３１を下側から閂部１１の下端部に当接させて位置決めしてしまった場合でも、鎌部１２のストライク２に対する掛かり代が十分確保されるように、補助位置決め部３１の上下位置を設定してある。このように、第三実施形態においても、容易に確実なストライク２の上下位置調整が可能である。
【００２５】
本発明は、上記の実施形態に限定されない。たとえば、この扉の設置箇所は玄関に限られず、種々の開き戸に適用できる。また、親扉と子扉を有する扉に適用してもよく、その場合、親扉と子扉の一方の戸先にデッドボルトを設け、一方の扉の戸先に対向する面である他方の扉の戸先にストライクを設ける。さらに、位置決め部を係止する箇所は、デッドボルトの閂部の上端部に限られず、閂部の他の箇所や鎌部に係止させてもよいし、閂部や鎌部に設けた突起や突条などに係止させてもよい。また、位置決め部の形状は、上記のような直方体形のものに限られず、円柱形のものや、半球形のものであってもよい。ただし、閂部の上端部のような水平面に当接させるのであれば、位置決め部側の当接面の形状も、直方体形の場合のように水平面であれば、より安定して当接させることができるので望ましい。さらに、ストライクは少なくとも位置決め部を有しているものであればよいが、それに加えて補助位置決め部や位置決め線を有していれば、上記のとおりより確実に上下位置決めできるので望ましい。
【符号の説明】
【００２６】
１  デッドボルト
２  ストライク
３  位置決め部
４  扉本体
２１  見付面
【図１】
0006495109.tif 000002
【図２】
0006495109.tif 000003
【図３】
0006495109.tif 000004
【図４】
0006495109.tif 000005
【図５】
0006495109.tif 000006
【図６】
0006495109.tif 000007
【図７】
0006495109.tif 000008